(57)【特許請求の範囲】
【請求項１】
着用者の両耳に掛けられる一対の支持紐体と、前記支持紐体に保持されて前記着用者の口唇に密着されるフィルターバッグと、前記フィルターバッグの前記口唇に密着される接触面に形成され、前記着用者の口唇側位置に対応した一対の鼻唇溝硬化部とを備え、前記フィルターバッグの内部には、多数の粒状の多孔性物質が充填されていることを特徴とするマスク。
【請求項２】
前記フィルターバッグの前記口唇に密着される接触面に形成され、前記着用者の鼻下位置に対応した水平な線状の鼻下硬化部をさらに有することを特徴とする請求項１に記載のマスク。
【請求項３】
前記粒状の多孔性物質は、発泡スチロールビーズであることを特徴とする請求項１又は２に記載のマスク。
【請求項４】
前記多孔性物質には、液体が含浸或いはコーティングされることを特徴とする請求項１乃至３のいずれかに記載のマスク。
【請求項５】
前記フィルターバッグは、前記支持紐体に着脱可能に固定されることを特徴とする請求項１乃至４のいずれかに記載のマスク。
【請求項６】
装用時において少なくとも着用者の口唇を覆うマスクに適用可能なフィルターバッグであって、前記着用者の両耳に掛けられる一対の支持紐体によって、前記着用者の口唇に密着される通気性を有する袋体と、前記袋体に充填される多数の粒状の多孔性物質と、前記接触面に形成され、前記着用者の口唇側位置に対応した一対の鼻唇溝硬化部とから構成されることを特徴とするマスク用フィルターバッグ。
【請求項７】
前記フィルターバッグの前記口唇に密着される接触面に形成され、前記着用者の鼻下位置に対応した水平な線状の鼻下硬化部をさらに有することを特徴とする請求項６に記載のマスク用フィルターバッグ。
【請求項８】
前記粒状の多孔性物質は、発泡スチロールビーズであることを特徴とする請求項６又は７に記載のマスク用フィルターバッグ。
【請求項９】
前記多孔性物質には、液体が含浸されることを特徴とする請求項６乃至８のいずれかに記載のマスク用フィルターバッグ。
【請求項１０】
前記フィルターバッグは、装用時において着用者の両耳に掛けられる一対の支持紐体に支持されるとともに、前記支持紐体に着脱可能に固定されることを特徴とする請求項６乃至９のいずれかに記載のマスク用フィルターバッグ。
【請求項１１】
内部に多数の粒状の多孔性物質が充填され、着用者の口唇に密着される接触面に、前記着用者の口唇側位置に対応した一対の鼻唇溝硬化部が形成されたフィルターバッグを、前記着用者の口唇に密着するように支持することを特徴とする通気フィルタリング方法。
【請求項１２】
前記粒状の多孔性物質は、発泡スチロールビーズであることを特徴とする請求項１１に記載の通気フィルタリング方法。
【請求項１３】
前記多孔性物質には、液体が含浸されていることを特徴とする請求項１１又は１２に記載の通気フィルタリング方法。
【発明の詳細な説明】
【技術分野】
【０００１】
本発明は、装用時に鼻と口を覆うことにより、塵埃やウイルス、花粉等の空気中の微細な異物の侵入を防いだり、患者等の口腔や鼻腔からの飛沫の拡散を防いだり、大気汚染による有害化学物質・放射性物質などを捕捉し、その吸入を防ぐためのマスク、マスク用フィルターバッグ、通気フィルタリング方法及び防塵マスクに関する。
【背景技術】
【０００２】
一般的な生活環境の中で、大気中の物質が、生物学的、化学的、物理的に人体に及ぼす影響は多く、人体にその影響が及んだときに、疾患として発症することがある。このように大気中の物質による悪影響の原因としては、日常的に多く観察される空気汚染や空気感染がある。この空気汚染や空気感染に対する対策としては、汚染や感染の発生源に対する処置と、発生したものに対する防禦とが挙げられる。
【０００３】
このうち、発生したものに対する措置として、個人が実施できる対策の一つにマスクの装着による防禦がある。現状においても、マスク自体の形態や構造、材質はもとより、マスクに備えられて、空気の中の有害物質とされるものを吸着する方法など、その使用目的に応じて種々の工夫がなされている。すなわち、単に不織布を縫製したマスク単独では、化学物質や、生物学的な細菌、ウイルスの防禦は難しく、上述したように、形態や構造などに工夫を施し、直接気道、肺の中へ吸引されないような対策が必要となっている。この対策の一つとしては、マスクの層状構造をなすのが一般的で、中には液体を吸湿させたものをマスクに装着して用いるなどの工夫がある（例えば、特許文献１）。
【先行技術文献】
【特許文献】
【０００４】
【特許文献１】特開２０１１−４５６６１号公報
【発明の概要】
【発明が解決しようとする課題】
【０００５】
しかしながら、層状構造による吸湿フィルターでは、フィルターとしての効果を高めようとすれば、層状構造を厚くしなければならず、その分、呼吸に際しては、吸気の通過量が制限され、着用者にとっては呼吸が苦しいという難点がある。これを解消するために、従前において、保湿させたフィルターを使用する試みはあるが、これは一部に通気口やスリットを設けて、通気性を良くするようにしている。しかし、これにより空気は通過障害のない通気口を通過していくことになり、湿潤させたフィルターを通過する量は殆どないと考えられる。
【０００６】
また、現状では呼吸に支障を来すことなく使用できるマスクはその形態から作業用の目的に応じて作られた、防毒マスクに類似した形態で、装着者の口唇にフィルターが接触しないように、着用者の口唇とフィルターの間に通気用の空間が確保された形式のものが見受けられる。これらは日常一般人が使用するには外観が大袈裟になり、ファッション性が低減するうえ、構造が複雑でコスト高となり、実用性に乏しいという問題があった。
【０００７】
そこで、本発明は以上の点に鑑みてなされたもので、呼吸が楽にでき、装着感も普通のマスクに準じ、日常生活で使用に耐え得る抗ウイルス、抗花粉症、抗化学物質の効果が得られるマスク、マスク用フィルターバッグ、通気フィルタリング方法及び防塵マスクを提供することを目的としている。
【課題を解決するための手段】
【０００８】
上記課題を解決するために、本発明は、装用時において着用者の両耳に掛けられる一対の支持紐体と、支持紐体に支持されて着用者の口唇に密着されるフィルターバッグとを備え、フィルターバッグの内部には、多数の粒状の多孔性物質が充填されている。なお、フィルターバッグは、着用者の口唇からフィルターバッグまでの間に一定の空間が保持されるように支持し、且つ前記空間の気密性を保持するようにしてもよい。
【０００９】
このように本発明によれば、粒状（球状或いは小球状）の多孔性物質が充填されたフィルターバッグを、着用者の口唇に密着させ、又は気密性を確保した状態で口唇近傍に保持させるため、外気がマスク周縁からマスク内へ流入するのを防止でき、塵挨やウイルス等が直接気道内、肺の中へ吸引されることがない。
【００１０】
このとき、多孔性物質が粒状（球形）をなしていることから、多孔性物質を球状にすることで、通過する空気の接触する面を大きくしている。同時に、球体同士の接触は点状であることから、通気経路を十分確保することができる。さらに使用時にフィルターバッグ内の球状物質が３?４層以上になるようにすることで、フィルター効果と十分量の空気がバッグ内の間隙を通過する吸気・呼気経路が形成されることとなり、吸気の通過量を十分に確保することができる。したがって、着用者にとって呼吸が苦しくなるのを回避することができる。なお、本発明において「多孔」とは、物質表面に形成された凹凸によって粗面状態となっているものを含み、必ずしも物質内部まで及ぶか表在性のもので貫通する孔である必要はない。
【００１１】
さらに、フィルターバッグが、着用者の口元に密着され、或いは気密性を確保した状態で口元近傍に保持されているため、着用者自身の呼気に含まれる水蒸気によっても、球状多孔性物質表面に形成されている多数の微孔により呼気による水分が吸着され、マスク内に形成された呼吸経路となる球体表面に水分を確保できる。ちなみに呼気には１日300 ml程（１分間で１２回の呼吸として）の水分が含有されている。
【００１２】
また、球体表面に水分を保持し湿潤しているため、吸気が吸気経路を通過する際に、空気中の塵挨、花粉、細菌類、カビ類、ウイルスなどが多孔性物質表面に捕捉され、高いフィルター効果が発揮される。なお、後述するように、この呼吸による水分の保湿効果を上げるため、球体表面に保湿剤、保水剤、目的に応じた化学物質などのコーティングを施すことや、静電気の発生により球体表面への付着力を高めることも可能である。
【００１３】
これにより、例えば、花粉症などの原因となるアレルギー源物質や、インフルエンザウイルス、細菌などの空気感染を予防でき、アスベスト、ホルムアルデヒドなどの化学物質を効果的に除去でき、また、悪臭などへの対応も可能である。多孔性物質に保水力をもたせることで、口腔粘膜、鼻粘膜、咽頭粘膜、気道粘膜などの乾燥をも予防でき、従来の一般のマスク効果を遥かに凌ぐものである。
【００１４】
また、多孔性物質を充填したフィルターバッグを支持紐体で支持するという簡単な構成であることから、外観や構造をシンプルにすることができ、ファッション性を向上させることができるとともに、製造コストを低く抑えることができ、実用性が高い。現在使用されている立体マスクの形態をもったマスクで用いることができる。
【００１５】
さらにマスクとフィルターバッグを組み合わせたものを作製することでより、マスク機能を効果的に発揮でき、装着感においても安定感が得られる方法として、フィルターバッグ専用のマスクを提供する。方法は立体マスクが口唇、鼻部、頬部、頤部に接触するマスクの四辺にスポンジ様のもので高まりを作って、マスク面と四辺の高まり内にフィルターバッグをおさめることにより、マスク周辺からの吸気のフィルター効果とフィルターバッグの層の確保が確実に得られ、フィルター効果を有効に機能させることができる。
【００１６】
また、フィルターバッグの湿潤効果を高めるために、マスク内面上部に液体を保持して圧迫により注水可能な合成樹脂などによるスポイト状のものを装着することで、目的に応じた液を装填し、フィルターバッグ内の球体表面にコーティングを施すことが可能となる。ここで、装填する液体は、水、薬液、香料などが考えられる。またフィルターバッグ使用時に、スプレーなどにより、フィルターバッグに直接適当量の水や薬液を噴霧することで湿潤効果、薬効などが得られ、十分なフィルター効果得ることができる。なお、フィルターバッグを、着用者の口唇からフィルターバッグまでの間に一定の空間が保持されるように支持し、且つ前記空間の気密性を保持した場合には、フィルターバッグにより塵挨やウイルス等を吸着した後に、吸着された塵挨やウイルスが口唇に接触することがなく、安全性を向上させることができる。
【００１７】
上記発明において、フィルターバッグの口唇に密着される接触面に形成され、着用者の鼻下位置に対応した水平な線状の鼻下硬化部を形成したり、又は、フィルターバッグの口唇に密着される接触面に形成され、着用者の口唇両側位置に対応した一対の鼻唇溝硬化部を有する。
【００１８】
通常、フィルターバッグの鼻孔部・口唇側の面には、フィルターバッグ装着時の圧迫により、球状多孔物質が層状をなしていても、圧排されて、層形成が不十分になり、フィルター効果の得られない状態になりやすい。これを解決するために、鼻孔部、口唇部に十分量の球体多孔質物質による層形成（3?４層以上）ができるようにする。方法としてフィルターバッグが鼻孔部及び口唇部に密着されることが必要である。より有効な鼻孔部、口唇部接触面を獲得するために、凸（山）ひだ山（山折り）を３カ所につける。一つには鼻唇角に接するように水平に鼻翼基部に至るひだ山（山折り）を形成する。また両側の鼻唇溝に沿って、ひだ山を作る。この形成されたひだ山により、鼻孔部にあたる面と口唇部にあたる面が分割形成され、鼻孔部及び口唇部に密着させることができる。
【００１９】
このようにひだ山（山折り部）を作ることで、通気フィルター効果をもたせるための十分量の多孔性物質を、適切な厚みをもって鼻孔部、口唇部に集め、保持できるようになる。その結果、吸気が吸気経路である、鼻孔、口裂を通過する際に、確実に空気中の塵挨やウイルスを多孔性物質表面に捕捉し、高いフィルター効果を発揮できる。
【００２０】
なお、既製のマスクに使用する場合、フィルターバッグの形態は、ひだ山（山折り部）のない単純な袋状のバッグに多孔質物質を装填しても用いることができる。フィルターバッグ内の多孔性物質の量を増量することにより、多少かさばりはでるがフィルター効果を十分得ることができる。
【００２１】
上記発明において、粒状（球状の）の多孔性物質は、発泡スチロールビーズであることが好ましい。この場合には、より軽量で安価な材料でフィルターバッグを製造することができ、マスク全体の軽量化と低廉化をより促進させることができる。
【００２２】
なお、鼻下硬化部のみを形成することも可能であり、この場合には、例えば、可塑性を有するプラスチックや金属部材等の形状保持部材を用いることができる。この場合には、鼻下硬化部としての形状保持部材を設けることにより、鼻下に接するように盛り上がった膨らみ（山）が形成されて、その形状が維持されるようになる。これにより、簡単な構成で、マスクを着用した際、鼻下位置に対応する箇所に一定の空間（膨らみ）を形成することができ、この空間には、多孔性物質が集められ、鼻下（鼻孔）位置及び口唇位置に多孔性物質が適切な厚みをもって保持される。その結果、吸気が吸気経路を通過する際に、確実に空気中の塵挨やウイルスが多孔性物質表面に捕捉され、高いフィルター効果が発揮される。
【００２３】
上記発明において、多孔性物質には、液体が含浸またコーティングされることが好ましい。この液体、溶液としては、保湿、保水力、粘性をもつ物質で、例えば食品の保水、粘性向上に用いられる添加物や、化粧品などの保湿性、湿潤性を保持するために用いられている添加物を含有させて、コーティング剤として使用することができる。また除菌・防菌用の薬剤や、香料などの液体、溶液を添加して用いることができ、これらの場合にはマスクの多機能化を計り、マスクの付加価値を高めることができる。
【００２４】
上記発明において、フィルターバッグは、マスク本体に着脱可能に固定されることが好ましい。この場合には、フィルターバッグのみを交換することができるため経済的であり、また、フィルターバッグを既存のマスクと組み合わせて使うことも可能となり、本発明の応用範囲を拡大させることができる。
【発明の効果】
【００２５】
このように発明によれば、呼吸が楽にでき、装着感も普通のマスクに準じ、日常生活で使用に耐え得る抗ウイルス、抗花粉症、抗化学物質の効果が得られるマスクを提供することができる。また、本発明は、防塵用、化学物質吸引の防禦などの目的で防毒、防塵マスクにも適応することができる。
【図面の簡単な説明】
【００２６】
【図１】第１実施形態に係るマスクの全体構成を示し、着用者に装着された状態を側方から示す説明図である。
【図２】第１実施形態に係るマスクの全体構成を示し、着用者に装着された状態を正面及び上方から示す説明図である。
【図３】第１実施形態に係るフィルターバッグの断面図である。
【図４】第１実施形態において係るマスクの装着例を示す説明図である。
【図５】（ａ）は、第１実施形態に係るフィルターバッグに形成された鼻下硬化部、及び一対の鼻唇溝硬化部を示す上面図であり、同図（ｂ）は側面図であり、同図（ｃ）は斜視図である。
【図６】第１実施形態に係るマスクが着用者に装着された状態を側方から示す説明図である。
【図７】第１変更例に係るマスク本体に作られた水分保持体（補給体）固定のポケットと水分保持体（補給体）の装着されたところを示す図である。
【図８】第１変更例に係るフィルターバッグ、及び水分保持体を示す斜視図である。
【図９】第１変更例に係るフィルターバッグ、及び水分保持体（水分補給体）の連結部を示す断面図である。
【図１０】第１変更例に係るマスクが着用者に装着された状態を側方から示す説明図である。
【図１１】（ａ）及び（ｂ）は、第２実施形態に係るフィルターバッグを示す斜視図である。
【図１２】（ａ）及び（ｂ）は、第２実施形態に係るマスク本体を示す斜視図である。
【図１３】（ａ）及び（ｂ）は、第２実施形態に係るフィルターバッグがマスク本体に装着される動作を示す斜視図である。
【図１４】第２実施形態に係るマスクが着用者に装着された状態を側方から示す説明図である。
【図１５】第２変更例に係る収納部に水分保持体が収納された状態を示す斜視図である。
【図１６】第３実施形態に係る防塵マスクの構成を示す斜視図である。
【図１７】（ａ）〜（ｄ）は、第３実施形態に係る防塵マスクの各構成を示す説明図である。
【図１８】第３実施形態に係る本体フレーム、外側フレーム、及び内側フレームの回動状態を示す説明図である。
【図１９】第３実施形態に係るマスク本体に設けられた収納部を示す説明図である。
【図２０】第３実施形態に係るマスク本体にフィルターバッグが収納された状態を示す説明図である。
【図２１】第３変更例に係るマスクの全体構造を示す斜視図である。
【図２２】（ａ）は、第３変更例に係るマスク本体にポケットを形成させた状態を正面から示す説明図であり、（ｂ）は、ポケット内部にフィルターバッグを収納させた状態を正面から示す説明図である。
【図２３】（ａ）は、第３変更例に係るポケットに形成された山折り状を示す斜視図であり、（ｂ）は、マスクが着用者に装着された状態を側方から示す説明図である。
【図２４】第３変更例に係るマスクの側部開口を示す斜視図である。
【図２５】（ａ）及び（ｂ）は、第４変更例に係る防塵マスクの全体構造を示す斜視図である。
【図２６】第４変更例に係る防塵マスクのフィルターバッグを収納する動作を示す説明図である。
【図２７】第４変更例に係る防塵マスクが着用者に装着された状態を側方から示す説明図である。
【図２８】第４変更例に係る防塵マスクの全体構造を示す斜視図である。なお、本図では、網体が一部省略し（透過させ）て示している。
【図２９】第４変更例に係る防塵マスクの使用状態を示す平面図である。なお、本図では、網体が一部省略し（透過させ）て示している。
【図３０】第５変更例に係るフィルターバッグを示す平面図である。
【図３１】第５変更例に係るフィルターバッグの使用状態を示す平面図である。
【発明を実施するための形態】
【００２７】
（マスク及びマスク用フィルターバッグの構成）
以下、図面に基づき本発明を代表する各種実施の形態を説明する。図１及び図２は、本実施形態に係るマスク１を示す説明図である。具体的に、マスク１は、図１（ａ）又は図２に示すように、装用時において少なくとも着用者５の口唇５１や鼻孔５２を覆うマスク本体２と、マスク本体２の両側部から延びて着用者５の両耳に掛けられる一対の支持紐体３と、マスク本体２に支持されて着用者５の口唇５１や鼻孔５２周辺に密着されるフィルターバッグ４とを備えている。そして、このマスク１を装着することにより、本発明の通気フィルタリング方法を実施することができる。なお、このマスク１としては、現在使用されているガーゼマスク、不織布マスク、プラスチック防塵マスクなど、既存の製品をそのまま用いることもできるが、フィルターバッグを装着することから厚みがでるので、立体マスクが使用に適している。
【００２８】
マスク本体２は、十分な通気性を有する布、紙、合成繊維、プラスチックなどの可撓性部材（素材）で形成され、着用者５の口唇５１や鼻孔５２を覆う程度の面積を有している。具体的に、本実施形態では、フィルター性能の高いガーゼや不織布等の素材を用いている。支持紐体３は、伸縮性のあるゴム紐等であり、マスク本体２に縫い付けられ、着用者５の両耳に掛けられるように環状に形成されている。なお、ここでは、支持紐体３でマスク本体２を支持し、マスク本体２を介して、フィルターバッグ４を支持する場合を例に説明するが、本発明はこれに限定されるものではなく、フィルターバッグ４が着用者５の口唇に密着させることができるのであれば、支持紐体３のみでもよく、マスク本体２をさらに簡略化してもよい。
【００２９】
フィルターバッグ４は、着用者５の口唇５１や鼻孔５２周辺に密着されるマスク用フィルターバッグであり、内部に充填される粒径の材料を一定の形状に集積する程度の強度と、着用者５の口や鼻の形状に合致される程度の柔軟性を有する。また、フィルターバッグ４は、呼吸(吸気)に障害のない通気性が十分に得られ、日常生活で抗ウイルス、抗花粉、抗化学物質の効果を発揮できる構造を有する。
【００３０】
なお、本実施形態において、このフィルターバッグ４は、現在使用されている市販のガーゼマスク、不織布マスク、プラスチック防塵マスクなどに装着可能となっている。すなわち、従来から使用されている不織布製の立体マスク、或いはプラスチック製の防塵マスクの形状に合わせて不織布或いはポリエステル、ポリエチレン、ポリウレタンアクリル、綿、ウーリーナイロンなどを裁断して、既存製品に合致するような大きさや、立体形状をなしている。
【００３１】
そして、フィルターバッグ４は、図１（ｂ）に示すように、その内部に多数の粒状の多孔性物質４１が充填され、マスク用湿潤フィルターとしての機能を果たす。具体的にこのフィルターバッグ４は、マスク本体２の形態に合わせた不織布の袋体４２を形成し、その内部に、多孔性物質４１として、直径3〜6mmを混合した発泡スチロールビーズが、３?５層程度になるように填入されている。
【００３２】
なお、本実施形態では、この多孔性物質４１の球体表面を、例えば、キサンタンガム、カルボマー、カラギナン、ペクチンなどの増粘剤、ビドフィックス（商品名）などの保水性、保湿性を有する物質等でコーティングすることも可能である。この場合には、多孔性物質４１に付着した水分子が多孔性物質４１の表面部分に保持されることとなり、高い保水効果を有する。これにより球体表面に塵埃などの微細粒子、花粉症発症の花粉、ウイルス、細菌類、有害化学物質ホルムアルデヒドやアスベスト、放射性物質、発臭物質を付着させることができ、吸気による口腔、気道への侵入を防ぎ、花粉症、ウイルス感染、細菌類の気道感染の防止ができる。また発臭物質の吸着による消臭効果が期待される。このビドフィックスは、グァーガム等の天然原料を主成分とする増粘剤であり、保水効果、乳化促進、分離防止、保形効果を有する。
【００３３】
このように、多孔性物質４１については、球体表面に、種々の目的に応じて、増粘剤、保湿剤に化学物質、抗菌剤などを溶融し、含有させることで目的に応じた使用対応も可能である。多孔性物質４１に発生する静電気により水分子を球体表面へ引きつけ、球体への付着力を高めるようにしてもよい。
【００３４】
この不織布の袋体４２としては、通気性を有した高揆水性の不織布を用いることができ、口唇５１側(内側)に水分などがついて気にならない程度が維持できるようにするとともに、外気に触れ空気の取り入れ側(外側)についても、保水力、保湿力をもたせる目的で高擬水性の不織布を用いる。
【００３５】
なお、フィルターバッグ４には、図５及び図６に示すように、フィルターバッグ４の口唇５１に密着される接触面４０ａに、着用者５の鼻下５２ａ位置に対応した水平な線状の鼻下硬化部４４と、着用者５の口唇両側にあるほうれい線（鼻唇溝）５１ａに対応した一対の鼻唇溝硬化部４５，４５とを形成することが好ましい。具体的には、図５（ａ）に示すように、鼻下硬化部４４は、略中央部分の不織布を縫い合わせたり、熱溶着等をすることによって硬化した部分が山折り状に形成され、一対の鼻唇溝硬化部４５，４５は、鼻下硬化部４４の両端位置からほうれい線５１ａに沿うように、接触面４０ａの不織布を縫い合わせることで山折り状に形成されている。これにより、フィルターバッグ４は、図５（ｂ）〜（ｃ）に示すように、鼻下硬化部４４と、一対の鼻唇溝硬化部４５，４５とが接触面４０ａから突出するとともに、口唇５１の周りを囲うような形状となり、その形状が維持されるようになっている。
【００３６】
このように構成によって、フィルターバッグ４の内部は、鼻下５２ａ位置及び口唇５１両側の鼻唇溝（ほうれい線）５１ａ位置に対応する箇所に一定の空間が形成され、そこに多孔性物質４１が集められることとなる。詳述すると、解剖学上、鼻尖、口唇５１の先端部分、及び頤部は、ほぼ直線ＬＬ上に並び、鼻下部分は、直線ＬＬから窪むように形成されており、口唇の両側方には、鼻唇溝（ほうれい線）と呼ばれる溝がある。本実施形態では、鼻下硬化部４４によって、鼻下５２ａに対応した箇所に膨らみを形成するとともに、鼻下硬化部４４及び鼻唇溝硬化部４５，４５で口唇５１を上方（上唇部）と側方（口角部）から囲繞することができるため、装着時には、鼻孔位置及び口唇位置に多孔性物質４１が適切な厚みをもって保持され、吸気が吸気経路を通過する際に、確実に空気中の塵挨やウイルスが多孔性物質４１表面に捕捉され、高いフィルター効果が発揮される。
【００３７】
さらに、本実施形態において、この発泡スチロールビーズには、液体が含浸又はコーティングがなされる。この液体としては、除菌・抗菌用の薬剤、製剤、抗ウイルス製剤や、消臭効果のある製剤、化学物質の分解製剤、香料などの液体を用いることができる。ここで、これら製剤には、市販されている手洗い用、洗浄用．清拭用、口腔洗浄用剤、石鹸類など、抗菌効果、抗ウイルス効果が奏する製剤を用いることができ、また、化学物質分解製剤としては、例えばホルムアルデヒドなどを分解する製剤があり、これらをコーティングすることもできる。このように応用範囲は広い。
【００３８】
また、本実施形態においてフィルターバッグ４は、マスク本体２に着脱可能に固定されるようになっている。具体的には、図４（ａ）に示すように、例えば、マスク本体２の内側面に両面テープやマジックテープ（登録商標）等でできた固定部２１ｂを設け、この固定部２１ｂに袋体２２を貼り付けるようにしてもよい。この袋体２２にフィルターバッグ４を袋体２２に収納したうえで、固定部２１ｂに貼り付けられる固定部２１ａを介して、マスク本体２にフィルターバッグ４を支持させるようにしてもよい。なお、この袋体２２を本体２に対して着脱するようにしたが、他の方法として、図４（ｂ）のように、マスク本体２の内側面に設けられたポケット２３に直接フィルターバッグ４を収納するようにしてもよい。また、図４（ｃ）のように、一般に使用されている立体マスクにフィルターバッグをマスクにあてて、使用することでも十分である。
【００３９】
（通気フィルタリング方法）
そして、このようにマスク１を装着することにより、本発明の通気フィルタリング方法を実現することができる。詳述すると、支持紐体３やマスク本体２によって、多孔性物質４１が充填されたフィルターバッグ４を、着用者の口唇に密着させることにより、外気がマスク本体２の周縁からマスク内へ流入するのを防止し、塵挨やウイルス等が直接気道、肺の中へ吸入されるのを防止する。
【００４０】
このとき、多孔性物質４１が粒状をなしていることから、図３に示すように、多孔性物質４１間の間隙によってフィルターバッグ４内に吸気経路４３が形成されることとなり、吸気の通過量を一定量以上に確保することができ、着用者にとって呼吸が苦しくなるのを回避することができる。
【００４１】
そして、多孔性物質４１表面に形成されている多数の微孔により水分が吸着されるため、マスク内に形成された吸気経路４３内の湿度を一定以上に保つことができ、吸気が吸気経路４３を通過する際に、空気中の塵挨やウイルスが多孔性物質表面に捕捉することができる。また、多孔性物質の保水力により、口腔粘膜、鼻粘膜、咽頭粘膜、気道粘膜などの乾燥を予防できる。
【００４２】
特に、本実施形態では、多孔性物質４１に、除菌・防菌用の薬剤や、香料などの液体が含浸されていることから、除菌・殺菌を有効に行うとともに、装着時の不快感を軽減している。なお、本実施形態では、多孔性物質４１に薬剤等の液体を含浸或いはコーティングを施しているが、着用者５の吐息に含まれる水蒸気によっても、十分に多孔性物質４１を湿潤させることができ、液体を含浸させなくても有効に除菌・滅菌を行うことができる。
【００４３】
（作用・効果）
このように本実施形態によれば、粒状の多孔性物質が充填されたフィルターバッグ４を、着用者の口唇に密着させるため、外気がマスク周縁からマスク内へ流入するのを防止でき、塵挨やウイルス等が直接気道、肺の中へ吸引されることがない。そして、このようにマスク１を装着することにより、本発明の通気フィルタリング方法を実現することができる。  
すなわち、多孔性物質４１が粒状をなしていることから、図３に示すように、多孔性物質４１間の間隙によってフィルターバッグ４内に吸気経路４３が形成されることとなり、吸気の通過量を一定量以上に確保することができ、着用者にとって呼吸が苦しくなるのを回避することができる。
【００４４】
さらに、多孔性物質４１表面に形成されている多数の微孔により水分が吸着されるため、マスク内に形成された吸気経路４３内の湿度を一定以上に保つことができ、吸気が吸気経路４３を通過する際に、空気中の塵挨やウイルスが多孔性物質表面に捕捉され、高いフィルター効果が発揮される。
【００４５】
すなわち、吸気がこのフィルターバッグ４を通過する際に、この湿潤した発泡スチロールビーズの球面に触れて通過するため、このときの空気接触が空気に含まれた粒子の花粉やウイルス、細菌、化学物質が吸着される。これにより、例えば、花粉症などの原因となるアレルギー源物質や、インフルエンザウイルスなどの空気感染ウイルスや細菌、ホルムアルデヒドなどの化学物質、アスベスト、放射性物質を効果的に除去することができる。また、多孔性物質の保水力により、口腔粘膜、鼻粘膜、咽頭粘膜、気道粘膜などの乾燥を予防できる。
【００４６】
また、フィルターバッグ４は、図６に示すように、接触面４０ａにおいて、山折り状の鼻下硬化部４４と、山折り状の一対の鼻唇溝硬化部４５，４５とを形成したときには、鼻下５２ａ位置及び口唇５１両側位置に一定の空間が保つことができる。その結果、装着時においても、鼻下５２ａ位置及び口唇５１位置に多孔性物質４１が適切に配置されることとなり、吸気が吸気経路を通過する際に、確実に空気中の塵挨やウイルスが多孔性物質４１表面に捕捉され、高いフィルター効果が発揮される。
【００４７】
さらに、多孔性物質を充填したフィルターバッグ４を、マスク本体２を介して支持紐体３で支持するという簡単な構成であることから、外観や構造をシンプルにすることができ、ファッション性を向上させることができるとともに、製造コストを低く抑えることができ、実用性が高い。また、本実施形態では、粒状の多孔性物質として、発泡スチロールビーズを用いることから、より軽量で安価な材料でフィルターバッグを製造することができ、マスク１全体の軽量化と低廉化をより促進させることができる。
【００４８】
本実施形態において、多孔性物質４１には、除菌・防菌用の薬剤や、香料などの液体が含浸或いはコーティングされることから、マスク１の多機能化を図ることができ、マスク１の付加価値を高めることができる。
【００４９】
さらに、フィルターバッグ４は、マスク本体２に着脱可能であるため、フィルターバッグ４のみを交換することができるため経済的であり、また、フィルターバッグ４を既存のマスクと組み合わせて使うことも可能となり、本発明の応用範囲を拡大させることができる。
【００５０】
［第２実施形態］
次いで、本発明の第２実施形態について説明する。上述した第１実施形態において、フィルターバッグ４には、不織布の袋体４２を用いる構成としたが、本実施形態では、伸縮性のある網体を用いた場合を例に説明する。図１１（ａ）及び（ｂ）は、第２実施形態に係るフィルターバッグ４ａを示す斜視図であり、図１２（ａ）及び（ｂ）は、第２実施形態に係るマスク本体２ａを示す斜視図であり、図１３（ａ）及び（ｂ）は、第２実施形態に係るフィルターバッグ４ａがマスク本体２ａに装着される動作を示す斜視図であり、図１４は、第２実施形態に係るマスク１ａが着用者に装着された状態を側方から示す説明図である。なお、本実施形態において、上述した第１実施形態と同一の構成要素には同一の符号を付し、その機能等は特に言及しない限り同一であり、その説明は省略する。
【００５１】
第２実施形態において、フィルターバッグ４ａは、図１１（ａ）に示すように、ポリエステル、ポリウレタン、ポリエチレン、綿、ウーリーナイロンなどの合成樹脂で形成され、伸縮性のある網体４６で形成されている。この網体４６は、粒状の多孔性物質４１を収納可能な程度な大きさの編目状を有しており、図１１（ｂ）に示すように、その内部に、多孔性物質４１として、直径3〜6mmを混合した発泡スチロールビーズ４１が、３?５層程度になるように封入されている。
【００５２】
また、フィルターバッグ４ａには、図１１（ａ）に示すように、網体を縫い合わせたり、熱溶着等することで鼻下硬化部４７が形成されている。この鼻下硬化部４７は、図１４に示すように、硬化した部分が着用者の鼻尖５３に位置するように、谷折り状に形成されている。
【００５３】
さらに、第２実施形態では、フィルターバッグ４ａを装着するマスク本体２ａについても特徴を有している。このマスク本体２ａは、図１２（ａ）及び（ｂ）に示すように、着用者５の口唇５１とフィルターの間に通気用の空間２５が確保された立体状のマスクとなっており、このマスク本体２ａには、口唇、鼻部、頬部、頤部に接触するマスク本体２ａの四辺に接触部２４を備えている。接触部２４は、ポリウレタン等の軟性の合成樹脂で形成され、内部に無数の孔が開いたスポンジ状となっており、マスク１ａを装着した際、着用者の口唇、鼻部、頬部、頤部の形状に合致するようになっている。
【００５４】
この接触部２４は、所定の厚みＴを有しており、マスク本体２ａの内部にフィルターバッグ４ａを装着した際には、図１３（ａ）及び（ｂ）に示すように、フィルターバッグ４ａが接触部２４四辺の高まり内に収納されるようになっている。この際、伸縮性のあるフィルターバッグ４ａは、鼻下硬化部４７を境にして、膨らみが形成されるようになっている。
【００５５】
このように構成により、着用者がマスク１ａを着用した際、図１４に示すように、フィルターバッグ４ａは、鼻尖５３の周りを囲うような形状となるとともに、鼻下（鼻孔部）５２ａ位置や、口唇５１位置に対応する箇所に一定の空間が形成されるので、多孔性物質４１が集められることとなる。これにより、鼻下（鼻孔）位置及び口唇位置に多孔性物質４１が適切な厚みをもって保持され、吸気が吸気経路を通過する際に、確実に空気中の塵挨やウイルスが多孔性物質４１表面に捕捉され、高いフィルター効果が発揮される。
【００５６】
さらに、本実施形態では、マスク本体２ａに接触部２４を備えているので、接触部２４がマスクの四辺から外気が吸引されることを防止することができ、その結果、マスク周辺からの吸気のフィルター効果とフィルターバッグの層の確保が確実に得られ、フィルター効果を有効に機能させることができる。
【００５７】
なお、第１実施形態では、不織布の袋体４２で形成されたフィルターバッグ４と接触部２４を有しないマスク本体２とを組み合わせ、第２実施形態では、網体で形成されたフィルターバッグ４ａと接触部２４を備えたマスク本体２ａとを組み合わせたが、本発明は、これらに限定するものではなく、例えば、接触部２４を備えたマスク本体２ａと不織布のフィルターバッグ４とを組み合わせたり、接触部２４を備えないマスク本体２と、網体のフィルターバッグ４ａとを組み合わせてもよい。
【００５８】
［第３実施形態］
次いで、第３実施形態について説明する。本実施形態では、有害物質の吸引を防止する防塵マスク１ｂにフィルターバッグ４を用いる場合を例に説明する。  図１６は、第３実施形態に係る防塵マスク１ｂの構成を示す斜視図であり、図１７（ａ）〜（ｄ）は、第３実施形態に係る防塵マスク１ｂの各構成を示す説明図である。
【００５９】
また、図１８は、第３実施形態に係る本体フレーム１２０、外側フレーム１１０、及び内側フレーム１３０の回動状態を示す説明図であり、図１９は、第３実施形態に係るマスク本体１００に密着部１４０を装着した状態を示す説明図であり、図２０は、第３実施形態に係るマスク本体１００にフィルターバッグ４を収納した状態を示す説明図である。
【００６０】
図１６に示すように、本実施形態に係る防塵マスク１ｂは、着用者の頭部に掛け回まわされる支持紐体３ａと、支持紐体３ａに保持されて着用者５の口唇５１や鼻孔５２を覆うマスク本体１００と、マスク本体１００内部に収納されるフィルターバッグ４ｂとから形成される。
【００６１】
支持紐体３ａは、マスク本体１００の両側部に固着され、頭部に掛け回されることでマスク１ｂを固定する支持部材である。この支持紐体３ａは、弾性的に伸縮可能なゴム部材で形成されており、着用時には頭部の形状に合わせて当接可能となっている。なお、支持紐体３ａは、このように構成に限定されず、例えば、図示しないバックルを有し、バックルを介して長さを調整する構成であってもよい。
【００６２】
フィルターバッグ４は、マスク本体１００内部に収納されるマスク用フィルターバッグである。このフィルターバッグ４は、上記同様、不織布などを裁断して、防塵マスクの形状に合致するような袋体４２として形成され、その袋体４２の内部に、多数の粒状の多孔性物質が充填されている。
【００６３】
また、本実施形態では、有害化学物質ホルムアルデヒドやアスベスト、放射性物質、発臭物質等の吸引を防止すべく、この多孔性物質４１の球体表面を、例えば、キサンタンガム、カルボマー、カラギナン、ペクチンなどの増粘剤、ビドフィックス（登録商標）などの保水性、保湿性を有する物質等でコーティングしている。例えば、極性の高い油剤として、トリイソステアリン酸ポリグリセノール−２であるコスモール（日清オイリオグループ社製）や、リンゴ酸ジイソステアリルを用いる。また、リンゴ酸（又は酸化チタン）と、リン酸化合物（ＨＰＯ）とエチレンオキシドを用いた重合体（ＥＣＯ）とを反応させ殺菌作用及び保水性のある液体を多孔性物質にコーティングする。
【００６４】
マスク本体１００は、プラスチックなどの可撓性部材（素材）で形成され、  着用者５の口唇５１や鼻孔５２を密着するように被覆する部材であり、図１７（ａ）〜（ｄ）に示すように、本体フレーム１２０と、外側フレーム１１０と、内側フレーム１３０と、密着部１４０とから構成されている。
【００６５】
本体フレーム１２０は、着用者５の口唇５１や鼻孔５２を覆うように略半球状に形成され、着用者の顔と接触する側に下部開口部１２１を有するとともに、その反対側に上部開口部１２２を有し、下部開口部１２１及び上部開口部１２２を介して、吸排気時に空気が通るよう内部空中となっている。
【００６６】
この本体フレーム１２０の外方には、外側フレーム１１０を備えている。外側フレーム１１０は、収納されたフィルターバッグ４を保護するカバー部材であり、本体フレーム１２０の上部を覆うように略半球状に形成されるとともに、内部空中となっている。また、外側フレーム１１０は、略中央部分であって、上部開口部１２２に対応する箇所に格子部１１２が形成されるとともに、この格子部１１２間に通気用開口部１１１が形成されている。
【００６７】
一方、本体フレーム１２０内部には、内側フレーム１３０が嵌め込まれ、この内側フレーム１３０は、本体フレーム１２０及び密着部１４０に支持されている。すなわち、内側フレーム１３０は、フィルターバッグ４と口唇及び鼻孔との間に空間Ｓが画成されるように、本体フレーム１２０及び密着部１４０とともに口唇及び鼻孔を覆い、空間Ｓの気密性を保持する。なお、内側フレーム１３０は、本実施形態では、本体フレーム１２０内部に位置するように配置され、略半球状に形成されるとともに、内部空中となっている。また、内側フレーム１３０には、略中央部分であって、上部開口部１２２に対応する箇所に格子部１３２が形成されるとともに、この格子部１３２間に通気用開口部１３１が形成されている。
【００６８】
また、これらの本体フレーム１２０、外側フレーム１１０、及び内側フレーム１３０には、それぞれ係止軸１１３，１２３，１３３を有しており、これらの係止軸１１３，１２３，１３３を介して連結されるとともに、図１８に示すように、係止軸１１３，１２３，１３３を中心として回動可能となっている。この際、本体フレーム１２０内に配置される内側フレーム１３０の位置は、上記空間Ｓによって、マスク内で覆われる鼻が格子部１３２に接触しないように設定されている。
【００６９】
このように構成によって、図１９に示すように、本体フレーム１２０、外側フレーム１１０、及び内側フレーム１３０を係止した際、外側フレーム１１０、及び内側フレーム１３０間にフィルターバッグ４を収納する収納部１５０が形成され、図２０に示すように、この収納部１５０の大きさに合致したフィルターバッグ４が収納される。この収納部１５０は、口唇及び鼻孔との間に空間Ｓが画成されるように、本体フレーム１２０及び密着部１４０により、空間Ｓの気密性を保持しつつ、口唇及び鼻孔の近傍に固定される。この際、収納部１５０に収納されたフィルターバッグ４は、格子部１１２及び格子部１３２によって固定される。また、通気用開口部１１１、通気用開口部１３１が形成されているので、外部から吸引される空気は、必ずフィルターバッグ４を通過して、着用者の肺に吸引されるようになる。
【００７０】
また、下部開口部１２１の外縁には、密着部１４０が着脱可能に設けられている。この密着部１４０は、例えば、シリコンゴム等の柔軟弾性材料が用いられ、装着時に着用者の顔に対して密着するように、着用者５の口唇５１や鼻孔５２の回りの形状に沿うように形成され、空間Ｓの気密性を確保している。なお、この密着部１４０を本体フレーム１２０に装着する場合には、図１９に示すように、下部開口部１２１の外縁１２４を外部から覆うように取り付ける。
【００７１】
このように本実施形態によれば、密着部１４０によって、着用者５の口唇５１や鼻孔５２の回りが密着されるので、吸気した際、外気がマスク周縁からマスク内へ流入するのを防止でき、塵挨やウイルス等が直接気道、肺の中へ吸引されることがない。
【００７２】
また、このように防塵マスク１ｂでは、収納部１５０にフィルターバッグ４が収納されているので、外気が防塵マスク１ｂ内に吸い込まれた場合には、必ずフィルターバッグ４を通過して、着用者の肺に吸引されることとなる。これにより、空気に含まれた粒子の花粉やウイルス、細菌、化学物質は、フィルターバッグ４内の湿潤した発泡スチロールビーズの球面に触れて吸着されることとなり、例えば、花粉症などの原因となるアレルギー源物質や、インフルエンザウイルスなどの空気感染ウイルスや細菌、ホルムアルデヒドなどの化学物質、アスベスト、放射性物質を効果的に除去することができる。また、多孔性物質の保水力により、口腔粘膜、鼻粘膜、咽頭粘膜、気道粘膜などの乾燥を予防できる。
【００７３】
さらに、本実施形態において、内側フレーム１３０は、本体フレーム１２０内部に配置され、フィルターバッグ４と、口唇及び鼻孔との間に空間Ｓが画成されるようになっているので、防塵マスク１ｂを装着した際、口や鼻がフィルターバッグ４に直接接触することを防止することができる。これにより、フィルターバッグ４に充填された各種の薬品や、吸着された有害物質等が体内に取り込まれることを防止することができる。
【００７４】
（変更例）
なお、上述した各実施形態の説明は、本発明の一例である。このため、本発明は上述した実施形態に限定されることなく、本発明に係る技術的思想を逸脱しない範囲であれば、設計等に応じて種々の変更や、それぞれの構成を組み合わせることが可能であることはもちろんである。なお、以下の変更例において、上述した各実施形態と同一の構成要素には同一の符号を付し、その機能等は特に言及しない限り同一であり、その説明は省略する。
【００７５】
例えば、本発明のマスク１、マスク用フィルターバッグ４は、上述した実施形態に限定されるものではなく、以下のような変更を加えることができる。図７は、本変更例に係るマスク本体２に装着されたフィルターバッグ４、及び水分保持体６を示す斜視図であり、図８は、本変更例に係るフィルターバッグ４、及び水分保持体６を示す斜視図であり、図９は、本変更例に係るフィルターバッグ４、及び水分保持体６を示す断面図であり、図１０は、本変更例に係るマスク１の全体構成を示し、着用者に装着された状態を側方から示す説明図である。
【００７６】
（第１変更例）
本変更例に係るマスク１、マスク用フィルターバッグ４には、例えば、図７に示すように、マスク本体２と、フィルターバッグ４との間に、水分保持体６を備えてもよい。この水分保持体６は、揆水性を有した素材で形成された袋体６１の内部に、例えば、スポンジや、繊維、ポリマー等の吸水部材６２を有した部材であり、通気の妨げにならないように、フィルターバッグ４の外縁部分を沿うような形状となっている。
【００７７】
そして、本変更例では、図８に示すように、水分保持体６とフィルターバッグ４とには、着脱可能な連結部７が設けられており、この連結部７を介して吸水部材６２に吸水された水分をフィルターバッグ４へ供給するようになっている。具体的には、図９に示すように、フィルターバッグ４には、中心部分が貫通した凹部７ａが設けられ、水分保持体６には中心部分が貫通した凸部７ｂが設けられている。そして、これら凹部７ａ及び凸部７ｂを嵌め込んだ際、水分保持体６とフィルターバッグ４との内部が連通する孔部７１（７１ａ，７１ｂ）が形成されるようになっている。
【００７８】
このように変更例では、図９に示すように、水分保持体６とフィルターバッグ４とを連結した状態で、着用者５が水分保持体６を押圧することで、連結部７の孔部７１を介して、水分保持体６の水分がフィルターバッグ４へ注入され、多孔性物質４１表面に形成されている多数の微孔により水分が吸着される。このように構成により、長時間に亘って、マスク１内に形成された吸気経路内の湿度を一定以上に保つことができ、吸気が吸気経路を通過する際に、空気中の塵挨やウイルスが多孔性物質４１表面に捕捉され、高いフィルター効果が発揮される。
【００７９】
（第２変更例）
次いで、第２変更例について説明する。本変更例では、マスク本体２の内部に水分保持体６ａを収納する収納部２６を備えることを特徴とする。図１５は、第２変更例に係る収納部２６に水分保持体６ａが収納された状態を示す斜視図である。図に示すように、本変更例では、マスク本体２の内面上部に収納部２６，２６を備えている。この収納部２６，２６は、両側部分が開口しており、この両側部分から水分保持体６ａが挿通されることで、収納部２６，２６内に水分保持体６ａを収納する。
【００８０】
本変更例において、水分保持体６ａは、合成樹脂等で形成されており、液体を保持する胴部６４と、液体を注水する注水口６３とから構成されたスポイト部材である。ここで、本変更例においても、装填する液体は、水、薬液、香料などが含まれる。
【００８１】
そして、水分保持体６ａが収納部２６，２６に収納された状態で、着用者５が水分保持体６ａを押圧することで、注水口６３から水分がフィルターバッグ４へ注入され、多孔性物質４１表面に形成されている多数の微孔により水分が吸着される。このように構成により、長時間に亘って、マスク１内に形成された吸気経路内の湿度を一定以上に保つことができ、吸気が吸気経路を通過する際に、空気中の塵挨やウイルスが多孔性物質４１表面に捕捉され、高いフィルター効果が発揮される。また、本変更例では、水分を保持する部材がスポイト状となっているため、目的に応じた液体を容易に装填することができ、フィルターバッグ４内の球体表面にコーティングを施すことが可能となる。
【００８２】
なお、第１変更例及び第２変更例では、マスク１に水分保持体６を備え、フィルターバッグ４内の多孔性物質４１に水分を吸着させる構成としたが、本発明は、これらに限定するものではなく、例えば、液体を噴霧するスプレー等を用いて、フィルターバッグ４内の多孔性物質４１に水分を吸着させる構成としてもよい。
【００８３】
（第３変更例）
次に、本発明のマスク１、及びマスク用フィルターバッグ４の他の構成について説明する。本変更例では、図２１に示すように、市販の立体型マスクにフィルターバッグ４を収納するポケット２３を形成させるとともに、このポケット２３において、着用者側に盛り上がった膨らみ（山）を形成させた構成について説明する。
【００８４】
具体的に、図２２（ａ）及び（ｂ）に示すように、市販されている立体型のマスク本体２ｂの内側面に薄地の口唇部シート２３ａを貼りあわせ、口唇部シート２３ａの底部及び側部を縫合や接着によってマスク本体２ｂに接合させることで、フィルターバッグ４を出し入れ可能な上部開口２３ｃを有するポケット２３を形成させる。なお、この口唇部シート２３ａは、例えば、ガーゼや不織布等の通気性を有する素材を用いる。
【００８５】
また、ポケット２３の上部開口２３ｃ近縁には、両面テープやマジックテープ（登録商標）等でできた固定部２３ｄを備えており、フィルターバッグ４をポケット２３内に収納した後、ポケット２３の上部開口２３ｃを閉塞することができるようになっている。
【００８６】
さらに、口唇部シート２３ａの内部には、図２２（ａ）及び（ｂ）に示すように、可塑性を有するプラスチックや金属部材等の形状保持部材で形成された鼻下硬化部としての上唇部ワイヤー２３ｂが設けられている。この上唇部ワイヤー２３ｂは、マスクを装着した場合に、鼻下５２ａに位置するような箇所に設けられている。
【００８７】
このように上唇部ワイヤー２３ｂを設けることにより、図２３（ａ）に示すように、ポケット２３の接触面２３ｅは、鼻下５２ａ部分に接するように山が形成されて、その形状が維持されるようになる。これにより、マスクを着用した際、図２３（ｂ）に示すように、鼻下５２ａ位置に対応する箇所に一定の空間が形成されて、そこに多孔性物質４１が集められ、鼻下５２ａ（鼻孔）位置及び口唇５１位置に多孔性物質４１が適切な厚みをもって保持される。その結果、吸気が吸気経路を通過する際に、確実に空気中の塵挨やウイルスが多孔性物質４１表面に捕捉され、高いフィルター効果が発揮される。
【００８８】
なお、図２２及び図２３では、ポケット２３は、上部に開口する構成としたが、例えば、図２４に示すように、マスク本体２ｂの内側面に口唇部シート２３ａを縫合や接着によって接合し、側部に側部開口２３ｆを設けて、この側部開口２３ｆからフィルターバッグ４を出し入れ可能としてもよい。この場合には、鼻部分と接触しない箇所に開口部分を設けているので、装着した際、マスクが変形しても固定部２３ｄの閉塞状態を維持することができる。その結果、マスク周辺からの吸気のフィルター効果とフィルターバッグの層の確保が確実に得られ、フィルター効果を有効に機能させることができる。
【００８９】
また、上記変更例では、上唇部ワイヤー２３ｂをポケット２３の接触面２３ｅに貼り付けたが、例えば、フィルターバッグを直接口唇に接触させるようにして、フィルターバッグの表面を形成する網体に上唇部ワイヤー２３ｂを固着或いは溶着するようにしてもよい。
【００９０】
（第４変更例）
上述した第３実施形態では、防塵マスク１ｂについて説明したが、本変更例では、この防塵マスクを簡易化及び軽量化することを要旨とする。図２５（ａ）及び（ｂ）は、本変更例に係る防塵マスク１ｃを示す斜視図であり、図２６は、本変更例に係る防塵マスク１ｃにフィルターバッグ４を収納させる際の動作を示す説明図であり、図２７は、本変更例に係る防塵マスク１ｃが着用者に装着された状態を側方から示す説明図である。
【００９１】
本変更例に係る防塵マスクの本体２００は、図２５（ａ）及び（ｂ）に示すように、ポリプロピレンなどの比重が小さく、耐薬品性に優れた合成樹脂で形成されており、本体フレーム２２０と、外側フレーム２１０とから構成されている。
【００９２】
本体フレーム２２０は、内部に収納されたフィルターバッグ４と口唇及び鼻孔との間に空間Ｓが画成されるように、口唇及び鼻孔を覆い、空間Ｓの気密性を保持する部材である。具体的には、本体フレーム２２０は、着用者５の口唇５１や鼻孔５２を覆うように略半球状に形成され、吸排気時に空気が通るように略中央部分に吸排気用のスリット２２１が複数形成されている。また、本体フレーム２２０の外縁には、孔２２５が設けられており、この孔２２５に支持紐体３ｂが挿通され、着用者５の両耳に掛けられるように環状に形成されている。なお、ここでは、吸排気用にスリット２２１を形成させたが、例えば、本体フレーム２２０を格子状に切り抜き、開口部分を形成させてもよい。
【００９３】
そして、この本体フレーム２２０の外方には、外側フレーム２１０を備えている。外側フレーム２１０は、収納されたフィルターバッグ４を保護するカバー部材であり、本体フレーム２２０のスリット２２１を覆うように略半球状に形成され、内部空中となっている。また、外側フレーム２１０は、略中央部分において格子部２１２が形成されるとともに、この格子部２１２間に通気用開口部２１１が形成されている。
【００９４】
そして、本体フレーム２２０の外側面に外側フレーム２１０を配置させ、外側フレーム２１０の上部及び両側部を縫合や熱接着によって本体フレーム２２０に接合させる。このように、本体フレーム２２０に外側フレーム２１０が接合されると、フィルターバッグ４が収納される収納部２３０が形成される。この収納部２３０にフィルターバッグ４を収納する際には、図２６に示すように、本体フレーム２２０の下部を捲り上げて、収納部２３０にフィルターバッグ４を入れるようになっている。
【００９５】
このように本変更例によれば、防塵マスクをポリプロプレン等の材質で形成させるので、マスクを簡易化及び軽量化することができる。また、本変更例によれば、本体フレーム２２０は、着用者５の口唇５１や鼻孔５２を覆うように略半球状に形成されているので、図２７に示すように、防塵マスク１ｃを装着した際、口唇５１や鼻孔５２がフィルターバッグ４に接触することを防止することができる。また、本体フレーム２２０の内側面はポリプロプレン等で形成されているので、例えば、マスクが外部から押圧された場合であっても、口唇５１や鼻孔５２がフィルターバッグ４に接触することを防止できる。
【００９６】
このように、本変更例によれば、マスクを簡易化及び軽量化することができるとともに、フィルターバッグ４に充填された各種の薬品や、吸着された有害物質等が体内に取り込まれることを防止することができる。
【００９７】
なお、本変更例において、外側フレーム２１０の素材として、ポリプロプレン等の合成樹脂を用いたが、例えば、図２８に示すように、本体フレーム２２０の外側にフィルターバッグ４を接合して一体としてもよい。この際、フィルターバッグ４は、ポリエステル、ポリウレタン、ポリエチレン、綿、ウーリーナイロンなどの合成樹脂を用い、伸縮可能な網体を用いる。これにより、外側フレームを不要とし、マスク本体の部品点数を減らすことができるので、マスクを簡略化するとともに、製造コストを低廉化することができる。
【００９８】
また、本変更例では、本体フレーム２２０に着用者の頭部に掛け回まわされる支持紐体３ｂとを係合させたが、例えば、図２９に示すように、防塵マスク１ｃを口唇５１や鼻孔５２に配置させて、市販のマスク本体２ｃを上部から被覆させて用いてもよい。これにより、防塵マスク１ｃ自体に支持紐体３ｂを接合する必要がなく、部品点数を減らし、製造コストを減らすことができる。
【００９９】
（第５変更例）
上述した実施形態及び変更例において、フィルターバッグ４は、同一素材で形成させたが、例えば、図２９に示すように、着用者の口唇側の面４９と外方側の面４８とを異なる素材で形成させてもよい。本変更例では、図３０に示すように、着用者の口唇側面４９には、ポリエステルなどの合成樹脂を用い伸縮可能な網体を形成させる。一方、外方側面４８には、例えば、不織布や、ポリプロピレンなどの合成樹脂によって形成させる。そして、使用時には、上述したようにマスクに用いてもよく、また、図３１に示すように、市販のマスク２ｃを上部から覆わせて用いてもよい。
【０１００】
このようにフィルターバッグ４ｂを用いると、着用者の口唇側面４９は、伸縮性のある網体で形成されているので、着用者５の口唇５１や鼻孔５２通気性が向上される。また、網体で形成されているため、フィルターバッグ４ｂが装着されると、フィルターバッグ４ｂは、鼻下（鼻孔部）５２ａ位置や、口唇５１位置に対応するように変形し、着用者５の口唇５１や鼻孔５２を密着するように被覆することができる。これにより、確実に空気中の塵挨やウイルスが多孔性物質４１表面に捕捉され、高いフィルター効果が発揮される。一方、外方側面４８は、不織布を用いた場合にはフィルター効果が向上される。また、ポリプロピレン等の合成樹脂を用いた場合には形状を維持し易くできる。
【符号の説明】
【０１０１】
１（１ａ，１ｂ，１ｃ）…マスク
２（２ａ，２ｂ，２ｃ）…マスク本体
３（３ａ，３ｂ）…支持紐体
４（４ａ，４ｂ）…フィルターバッグ
５…着用者
６…水分保持体
６ａ…水分保持体
７…連結部
７ａ…凹部
７ｂ…凸部
２１ａ，２１ｂ…固定部
２２…袋体
２３…ポケット
２３ａ…口唇部シート
２３ｂ…上唇部ワイヤー
２３ｃ…上部開口
２３ｄ…固定部
２３ｅ…接触面
２３ｆ…側部開口
２４…接触部
２５…空間
２６…収納部
４１…多孔性物質
４２…袋体
４３…吸気経路
４４…鼻下硬化部
４５…鼻唇溝硬化部
４６…網体
４７…鼻先硬化部
４８…口唇側面
４９…外方側面
５１…口唇
５１ａ…ほうれい線（鼻唇溝）
５２…鼻孔
５２ａ…鼻下
５３…鼻先
６１…袋体
６２…吸水部材
６３…注水口
６４…胴部
７１…孔部
１００…マスク本体
１１０…外側フレーム
１１１…通気用開口部
１１２…格子部
１１３…係止軸
１２０…本体フレーム
１２１…下部開口部
１２２…上部開口部
１２３…係止部
１２４…外縁
１３０…内側フレーム
１３１…通気用開口部
１３２…格子
１３３…係止部
１４０…密着部
１５０…収納部
２００…マスク本体
２１０…外側フレーム
２１１…通気用開口部
２１２…格子部
２２０…本体フレーム
２２１…スリット
２２５…孔
２３０…収納部
【図１】
0005866664.tif 000002
【図２】
0005866664.tif 000003
【図３】
0005866664.tif 000004
【図４】
0005866664.tif 000005
【図５】
0005866664.tif 000006
【図６】
0005866664.tif 000007
【図７】
0005866664.tif 000008
【図８】
0005866664.tif 000009
【図９】
0005866664.tif 000010
【図１０】
0005866664.tif 000011
【図１１】
0005866664.tif 000012
【図１２】
0005866664.tif 000013
【図１３】
0005866664.tif 000014
【図１４】
0005866664.tif 000015
【図１５】
0005866664.tif 000016
【図１６】
0005866664.tif 000017
【図１７】
0005866664.tif 000018
【図１８】
0005866664.tif 000019
【図１９】
0005866664.tif 000020
【図２０】
0005866664.tif 000021
【図２１】
0005866664.tif 000022
【図２２】
0005866664.tif 000023
【図２３】
0005866664.tif 000024
【図２４】
0005866664.tif 000025
【図２５】
0005866664.tif 000026
【図２６】
0005866664.tif 000027
【図２７】
0005866664.tif 000028
【図２８】
0005866664.tif 000029
【図２９】
0005866664.tif 000030
【図３０】
0005866664.tif 000031
【図３１】
0005866664.tif 000032